(57)【要約】【課題】コースロープに沿って泳ぐ際に、コースロープへの接触の前に泳ぐ方向を変更することを可能とし、身体に傷害を負わないように泳ぐことができるコースガイドを提供する。【解決手段】コースガイド１０は、コースロープ１１の側方両側に配置する軟質浮力体１２と、側方両側に配置した軟質浮力体１２をコースロープ１１に固定する固定部材１３とを備える。このコースガイド１０は、軟質浮力体１２に手等の身体が当たる感覚をたよりに泳ぐことで、コースロープ１１に沿って水泳をする際の水泳方向をガイドするものである。【選択図】図１
2006304996.tif 000002
【特許請求の範囲】
【請求項１】
コースロープに沿って水泳をする際の水泳方向をガイドするコースガイドであって、
前記コースロープの側方に配置する軟質浮力体と、
前記軟質浮力体を前記コースロープに固定する固定部材と、を備えるコースガイド。
【請求項２】
請求項１記載のコースガイドであって、
前記軟質浮力体は、帯状の形状であるコースガイド。
【請求項３】
請求項１又は２記載のコースガイドであって、
前記軟質浮力体は、前記コースロープの全長と同一の長さを有するコースガイド。
【請求項４】
請求項１又は２記載のコースガイドであって、
前記軟質浮力体は、前記コースロープの全長のＮ分の１（Ｎは２以上の整数）の長さを有するコースガイド。
【請求項５】
請求項１ないし４のいずれか１項記載のコースガイドであって、
前記軟質浮力体は、前記コースロープの側方両側に配置されるコースガイド。
【請求項６】
請求項１ないし５のいずれか１項記載のコースガイドであって、
前記固定部材は、前記軟質浮力体と一体化され、コースロープのフロートに固定されるベルト部材であるコースガイド。
【請求項７】
請求項１ないし５のいずれか１項記載のコースガイドであって、
前記固定部材は、前記軟質浮力体と一体化され、前記コースロープのワイヤに固定されるフック、テープ、又は紐の少なくとも１つを含むコースガイド。
【請求項８】
請求項１ないし７のいずれか１項記載のコースガイドであって、
前記コースロープを覆うカバー部材をさらに備えるコースガイド。
【請求項９】
請求項８記載のコースガイドであって、
前記カバー部材は、前記浮力体と一体化されているコースガイド。
【発明の詳細な説明】
【技術分野】
【０００１】
本発明は、コースロープに沿って水泳をする際の泳者をガイドするコースガイドに関する。
【背景技術】
【０００２】
水泳用プールで水泳を行う場合、水泳用プールをコースロープで仕切ることにより泳者が泳ぐコースが形成される。このコースは、コースロープで仕切られているため、泳者は、コースロープに沿って泳ぐことにより、コースを直進することができる。特に、視角障害者は、コースロープに手が当たる感覚を基に泳ぐことによりコースを直進している。すなわち、コースの右端を泳ぎ、ストロークの度に手の一部をコースロープに接触させ、その感覚をたどって進むことで直進を維持するようにしている。
【０００３】
しかし、コースロープは、ワイヤに複数のフロートを通したものであるため、身体をフロートに激しく接触した場合には、身体に傷害を負うことがあり得る。特に、視覚障害者の競技では、手を激しくコースロープに打ち付けて打撲や裂傷等を負う場合があった。このため、このような傷害の発生に対する対策の実用化が望まれている。
【発明の開示】
【発明が解決しようとする課題】
【０００４】
本発明は、上記事情に鑑みなされたもので、コースロープに沿って泳ぐ際に、コースロープへの接触の前に泳ぐ方向を変更することを可能とし、身体に傷害を負わないように泳ぐことができるコースガイドを提供することを目的とする。
【課題を解決するための手段】
【０００５】
本発明のコースガイドは、コースロープに沿って水泳をする際の水泳方向をガイドするコースガイドであって、前記コースロープの側方に配置する軟質浮力体と、前記軟質浮力体を前記コースロープに固定する固定部材と、を備えるものである。
【０００６】
コースロープの側方に軟質浮力体を固定部材で配置することで、コースロープに沿って泳ぐ際に、泳者は、軟質浮力体に手等の身体が当たる感覚をたよりに泳ぐことで、コースロープに接触する前に泳ぐ方向を変更することができる。また、軟質浮力体は、水泳中に、泳者の手等が接触した場合に、水中に沈む程度に変形するので、接触しても手等の身体に傷害を負うことはない。
【０００７】
本発明のコースガイドは、前記軟質浮力体が、帯状の形状であるものを含む。軟質浮力体を帯状の形状にすることで、収納する際に、コンパクトに纏めることが可能になり、着脱の際の運搬が容易になり、小さな収納スペースに収納できる。
【０００８】
本発明のコースガイドは、前記軟質浮力体が、前記コースロープの全長と同一の長さを有するものを含む。軟質浮力体をコースロープの全長と同一の長さにすることで、軟質浮力体の両端をプール壁に固定することが可能になり、軟質浮力体がコースロープの長手方向に沿って移動することを防ぐことができる。
【０００９】
本発明のコースガイドは、前記軟質浮力体が、前記コースロープの全長のＮ分の１（Ｎは２以上の整数）の長さを有するものを含む。軟質浮力体の長さを、コースロープの全長Ｎ分の１とすることで、軟質浮力体を短くすることが可能になり、コースロープへの取り付けを含む取り扱いを簡単におこなうことができる。
【００１０】
本発明のコースガイドは、前記軟質浮力体が、前記コースロープの側方両側に配置されるものを含む。
【００１１】
本発明のコースガイドは、前記固定部材が、前記軟質浮力体と一体化され、コースロープのフロートに固定されるベルト部材であるものを含む。
【００１２】
本発明のコースガイドは、前記固定部材が、前記軟質浮力体と一体化され、前記コースロープのワイヤに固定されるフック、テープ、又は紐の少なくとも１つを含むものを含む。
【００１３】
本発明のコースガイドは、前記コースロープを覆うカバー部材をさらに備えるものを含む。
【００１４】
本発明のコースガイドは、前記カバー部材が、前記浮力体と一体化されているものを含む。カバー部材を浮力体と一体化することにより、浮力体とコースロープとの間の隙間をなくすことができ、誤って手が隙間にはいることがなくなる。
【発明の効果】
【００１５】
以上説明したように、本発明によれば、コースロープに沿って泳ぐ際に、コースロープへの接触の前に泳ぐ方向を変更することを可能とし、身体に傷害を負わないように泳ぐことができる。
【発明を実施するための最良の形態】
【００１６】
以下、本発明の実施の形態について、図面を用いて説明する。
【００１７】
（第１の実施の形態）
図１は、本発明の第１の実施の形態のコースガイドの概略構成を示す斜視図であり、図２はその部分分解斜視図である。図１及び図２に示すコースガイド１０は、コースロープ１１の側方両側に配置する軟質浮力体１２と、側方両側に配置した軟質浮力体１２をコースロープ１１に固定する固定部材１３とを備え、軟質浮力体１２に手等の身体が当たる感覚をたよりに泳ぐことで、コースロープ１１に沿って水泳をする際の水泳方向（進行方向）をガイドするものである。
【００１８】
コースロープ１１は、ワイヤ１５にフロート１６が同軸上に取り付けられたものである。フロート１６は、外径Ｄが１００〜１５０ｍｍに形成された浮きである。
【００１９】
軟質浮力体１２は、長さＬ１がコースロープ１１の全長のＮ分の１（Ｎは２以上の整数）で、幅Ｗ１が１００〜１５０ｍｍで、厚さＴが５ｍｍの帯状の形状であり、ネオプレンやハイパロンなどの軟質材で比重が０．３に形成されたものである。軟質浮力体１２の長さＬ１は、例えば２ｍに形成される。
【００２０】
軟質浮力体１２は、ネオプレンやハイパロンなどの軟質材で形成されているので、水泳中に、泳者の手等の身体が軟質浮力体１２に接触した場合に、軟質浮力体１２が水中に沈む程度に変形する。したがって、水泳中に、泳者の手等の身体が軟質浮力体１２に接触しても、泳者の身体に傷害を負うことがない。
【００２１】
また、軟質浮力体１２は、帯状の形状であるので、収納する際にコンパクトに纏めることが可能になり、着脱の際の運搬が容易になり、小さな収納スペースに収納できる。
【００２２】
さらに、軟質浮力体１２の長さＬ１を、コースロープ１１の全長のＮ分の１としているので、Ｎ個のコースガイドを用いることによりコースロープの全長にガイドを取り付けることができる。また、軟質浮力体１２を短くすることが可能になり、コースロープ１１への取り付けを含む取り扱いを簡単におこなうことができる。
【００２３】
なお、軟質浮力体１２の軟質材は、ネオプレンやハイパロンに限るものではなく、その他の軟質材を使用することが可能であることは言及するまでもない。
【００２４】
固定部材１３は、軟質浮力体１２をコースロープ１１のフロート１６に固定するベルト部材であり、上側ベルト部材１８及び下側ベルト部材１９を備える。上側ベルト部材１８はバックル部材２１とタング部材２２とからなり、下側ベルト部材１９は、バックル部材２１とタング部材２２とからなる。
【００２５】
上側ベルト部材１８のバックル部材２１は、バックルベルト２４の基端部２４Ａが一方の軟質浮力体１２の上面に縫い付けられ、先端部２４Ｂを折り曲げた状態に縫い合わせて、折り曲げた部位にバックル２５が取り付けられている。基端部２４Ａの縫付け距離Ｓ１は、例えば５０ｍｍである。
【００２６】
上側ベルト部材１８のタング部材２２は、タングベルト２７の基端部２７Ａが他方の軟質浮力体１２の上面に縫い付けられ、先端部２７Ｂの折り曲げた部位がタング２８に取り付けられ、自由端となる先端が二重に折り曲げられた状態に縫い合わせることで抜止部２７Ｃが形成されている。基端部２７Ａの縫付け距離Ｓ１は、例えば５０ｍｍである。
【００２７】
先端部２７Ｂの折り曲げた部位は縫い合わされていないので、タング２８の位置を調整することができる。さらに、先端に抜止部２７Ｃを形成することで、先端部２７Ｂの折り曲げた部位が縫い合わされていなくても、タングベルト２７からタング２８が抜け出すことを阻止する。
【００２８】
図３にバックルベルト及びバックル部材を示す。図３（Ａ）に示すように、バックルベルト２４は、帯状のポリプロピレン（ＰＰ）テープ（バルク材）３１から形成される。この、バックルベルト２４は、例えば長さＬ２が２００ｍｍ、幅Ｗ２が３０ｍｍに形成され、さらに折り曲げた部位の長さＬ３が２５ｍｍに形成されている。そして、図３（Ｂ）に示すように、折り曲げた部位にバックル２５が取り付けられる。
【００２９】
図４にコースガイドのタングベルト及びタング部材を示す。図４（Ａ）に示すように、タングベルト２７は、帯状のポリプロピレン（ＰＰ）テープ（バルク材）３２から形成される。このタングベルト２７は、例えば長さＬ４が３３０ｍｍ、幅Ｗ２が３０ｍｍに形成され、さらに先端の抜止部２７Ｃの長さＬ５が１０ｍｍに形成されている。そして、図４（Ｂ）に示すように、先端部２７Ｂの折り曲げた部位に端具２８が取り付けられる。
【００３０】
下側ベルト部材１９のバックル部材２１は、バックルベルト２４の基端部２４Ａが他方の軟質浮力体１２の下面に縫い付けられ、タングベルト２７の基端部２７Ａが一方の軟質浮力体１２の下面に縫い付けられている。
【００３１】
このような上側ベルト部材１８及び下側ベルト部材１９を用いて軟質浮力体１２をコースロープ１１のフロート１６に固定する場合、上側ベルト部材１８をコースロープ１１の上側に延ばして、上側ベルト部材１８のバックル２５にタング２８を差し込んで、バックル２５にタング２８を連結する。また、下側ベルト部材１９をコースロープ１１の下側に延ばして、下側ベルト部材１９のバックル２５にタング２８を差し込んで、バックル２５にタング２８を連結する。これにより、上側ベルト部材１８及び下側ベルト部材１９でコースロープ１１の側方両側に軟質浮力体１２を配置（固定）できる。
【００３２】
図１に示すように、固定部材１３は、距離Ｌ６をおいて設けられ、軟質浮力体１２の端部から距離Ｌ７をおいて設けられている。例えば、距離Ｌ６は６０ｍｍであり、距離Ｌ７は２０ｍｍである。
【００３３】
図５は、本発明の第１の実施の形態のコースガイドの使用例を説明する図である。図５に示すように、コースロープ１１の側方両側に軟質浮力体１２を配置して固定部材１３で固定することにより、コースロープ１１に沿って泳ぐ際に、泳者３０は、軟質浮力体１２に手３１等の身体が当たる感覚をたよりに泳ぐことで、コースロープ１１に接触する前に泳ぐ方向を変更することができる。軟質浮力体１２は、泳者３１の手３１等の身体が接触した場合には、水中３３に沈む程度に変形するので、手３１等の身体に傷害を負うことはない。
【００３４】
また、複数の軟質浮力体１２の表面を滑らかなものや、凹凸のあるものを、例えば交互に配置することで、泳者３０の手３１が触れた際に、表面の感触に基づいてコースの位置を確認することも可能である。
【００３５】
なお、以上の説明では、固定部材１３としてバックル２５及びタング２８を用いたが、バックル２５及びタング２８に代えて面状ファスナーを用いることも可能である。また、軟質浮力体１２をコースロープの側方両側に設けたが、コースロープの一方にのみ設けてもよい。
【００３６】
（第２の実施の形態）
図６は、本発明の第２の実施の形態のコースガイドの概略構成を示す斜視図である。図６に示すコースガイド４０は、コースロープ１１の上半分を覆うカバー部材４１を備える点を除いて第１の実施形態のコースガイド１０と同様であるので、カバー部材４１について説明し、他の部分については説明を省略する。
【００３７】
カバー部材４１は、フロート１６の上半分を覆うように、ハイパロン、ネオプレンやナイロン地で厚さ５ｍｍの半円弧状に形成されている。カバー部材４１の両側縁は、コースロープ１１の側方両側に配置された一対の軟質浮力体１２と縫い合わすことにより、一対の軟質浮力体１２と一体化されている。なお、カバー部材４１をメッシュ生地で形成することも可能である。
【００３８】
このように、第２の実施形態のコースガイド４０は、コースロープ１１の上半分をカバー部材４１で覆っているので、固定部材が露出せず外観性に優れる。また、カバー部材４１と軟質浮力体１２が一体化しているので、軟質浮力体１２とコースロープ１１との間の隙間をなくすことができ、誤って手が隙間にはいることを防止できる。
【００３９】
（第３の実施の形態）
図７は、本発明の第３の実施の形態のコースガイドの概略構成を示す斜視図である。図７に示すコースガイド４５は、コースロープ１１の上半分を覆うカバー部材４６の略中央に開口部４７を備える点を除いて第２の実施形態のコースガイド４０と同様である。
【００４０】
第３の実施形態のコースガイド４５は、カバー部材４６の略中央に開口部４７を備えているので、カバー部材４６内に泡（空気）が侵入した場合でも、侵入した泡を開口部４７から外部に逃がすことができる。
【００４１】
（第４の実施の形態）
図８は、本発明の第４の実施の形態のコースガイドの概略構成を示す断面図である。図８に示すコースガイド５０は、軟質浮力体１２をコースロープ１１に固定する固定部材５１を備える点を除いて第２の実施形態のコースガイド４０と同様であるので、固定部材５１について説明し、他の部分については説明を省略する。
【００４２】
固定部材５１は、テープ５２の基端部５２Ａを軟質浮力体１２の下面に取り付け、先端部５２Ｂにフック５３を取り付け、フック５３をコースロープ１１のワイヤ１５にかけることで、コースロープ１１の側方両側に軟質浮力体１２を配置（固定）するものである。テープ５２は、例えばＰＰ樹脂製で幅３０ｍｍの帯状に形成したものである。なお、テープ５２に代えて紐を使用することも可能である。
【００４３】
第４の実施形態のコースガイド５０は、固定部材５１として、フック５３、テープ５２、紐などを用いることにより、固定部材５１を簡単に構成でき、コースロープ１１への取り付けを含む取り扱いを簡単におこなうことができる。
【００４４】
（第５の実施の形態）
図９は、本発明の第５の実施の形態のコースガイドの概略構成を示す断面図である。図９に示すコースガイド５５は、第４の実施形態のコースガイド５０からカバー部材４１を除去したもので、その他の構成は第４の実施形態のコースガイド５０と同様である。
【００４５】
第５の実施形態のコースガイド５５は、カバー部材４１を除去することにより、コースガイド５５を簡単な構成にできる。
【００４６】
（第６の実施の形態）
図１０は、本発明の第６の実施の形態のコースガイドの概略構成を示す断面図である。図１０に示すコースガイド６０は、軟質浮力体１２をコースロープ１１に固定する固定部材６１を備える点を除いて第１の実施形態のコースガイド４０と同様であるので、固定部材６１について説明し、他の部分については説明を省略する。
【００４７】
固定部材６１は、１本の紐であり、紐６１の一端部６１Ａを一方の軟質浮力体１２に取り付け、紐６１の他端部６１Ｂを他方の軟質浮力体１２に取り付けたものである。
【００４８】
第６の実施の形態のコースガイド６０は、固定部材６１を１本の紐とすることで、コースガイド６０を一層簡単な構成にできる。
【００４９】
なお、第２ないし第６の実施の形態の説明では、軟質浮力体１２をコースロープの側方両側に設けたが、コースロープの一方にのみ設けてもよい。
【００５０】
（第７の実施の形態）
図１１は、本発明の第７の実施の形態のコースガイドの概略構成を示す断面図である。図１１に示すコースガイド６５は、第４の実施の形態のコースガイド５０から一方の軟質浮力体１２を除去したもので、その他の構成は第４の実施の形態のコースガイド５０と類似する。
【００５１】
すなわち、第７の実施の形態のコースガイド６５は、質浮力体１２をコースロープ１１に固定する固定部材６６を備えている。固定部材６６は、一方のテープ５２の基端部５２Ａを他方の軟質浮力体１２の下面に取り付け、先端部５２Ｂにフック５３を取り付け、フック５３をコースロープ１１のワイヤ１５にかけ、他方のテープ５２の基端部５２Ａをカバー部材４１の端部に取り付け、先端部５２Ｂにフック５３を取り付け、フック５３をコースロープ１１のワイヤ１５にかけることで、コースロープ１１の側方片側に軟質浮力体１２を配置（固定）するものである。なお、テープ５２に代えて紐を使用することも可能である。
【００５２】
第７の実施の形態のコースガイド６５は、コースロープ１１の側方片側にのみ軟質浮力体１２を配置（固定）した場合でも、コースロープを覆うカバー部材４１を設けることができる。
【００５３】
（第８の実施の形態）
図１２は、本発明の第８の実施の形態のコースガイドの概略構成を示す断面図である。図１２に示すコースガイド７０は、第７の実施の形態の固定部材６６を固定部材７１に代えたもので、その他の構成は第７の実施の形態のコースガイド６５と同様である。
【００５４】
固定部材７１は、１本の紐であり、紐７１の一端部７１Ａを他方の軟質浮力体１２に取り付け、紐７１の他端部７１Ｂをカバー部材４１の端部に取り付けたものである。
【００５５】
第８の実施形態のコースガイド７０は、固定部材７１を１本の紐とすることで、コースガイド７０を一層簡単な構成にできる。
【００５６】
また、本発明は上述した実施形態に何ら限定されるものではなく、その要旨を逸脱しない範囲において種々の形態で実施し得るものである。
【００５７】
以上の説明では、軟質浮力体１２の長さＬ１をコースロープ１１の全長Ｎ分の１（Ｎは２以上の整数）に形成した例について説明したが、これに限らないで、軟質浮力体１２をコースロープ１１の全長と同一の長さを有することも可能である。軟質浮力体１２をコースロープ１１の全長と同一の長さにすることで、軟質浮力体１２の両端をプール壁に固定することが可能になり、軟質浮力体１２がコースロープ１１の長手方向に沿って移動することを防ぐことができる。
【図面の簡単な説明】
【００５８】
【図１】本発明の第１の実施の形態のコースガイドの概略構成を示す斜視図
【図２】本発明の第１の実施の形態のコースガイドの部分分解斜視図
【図３】本発明の第１の実施の形態のコースガイドのバックルベルト及びバックル部材を示す図
【図４】本発明の第１の実施の形態のコースガイドのタングベルト及びタング部材を示す図
【図５】本発明の第１の実施の形態のコースガイドの使用例を説明する図
【図６】本発明の第２の実施の形態のコースガイドの概略構成を示す斜視図
【図７】本発明の第３の実施の形態のコースガイドの概略構成を示す斜視図
【図８】本発明の第４の実施の形態のコースガイドの概略構成を示す断面図
【図９】本発明の第５の実施の形態のコースガイドの概略構成を示す断面図
【図１０】本発明の第６の実施の形態のコースガイドの概略構成を示す断面図
【図１１】本発明の第７の実施の形態のコースガイドの概略構成を示す断面図
【図１２】本発明の第８の実施の形態のコースガイドの概略構成を示す断面図
【符号の説明】
【００５９】
１０、４０、４５、５０、５５、６０、６５、７０  コースガイド
１１  コースロープ
１２  軟質浮力体
１３、５１、６１、６６、７１  固定部材
１５  ワイヤ
１６  フロート
５２  テープ
５３  フック
６１、７１  紐
Ｌ１  軟質浮力体の長さ
【図１】
2006304996.tif 000003
【図２】
2006304996.tif 000004
【図３】
2006304996.tif 000005
【図４】
2006304996.tif 000006
【図５】
2006304996.tif 000007
【図６】
2006304996.tif 000008
【図７】
2006304996.tif 000009
【図８】
2006304996.tif 000010
【図９】
2006304996.tif 000011
【図１０】
2006304996.tif 000012
【図１１】
2006304996.tif 000013
【図１２】
2006304996.tif 000014